【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
車両に搭載され、表示部への電力供給が抑制された節電表示モードと、前記表示部への電力供給が抑制されていない通常表示モードとを相互に切り替えて表示部の表示制御を行なう表示制御装置であって、
前記車両の車両状態を検出する車両状態検出手段によって検出された車両状態に応じて前記通常表示モードおよび／または前記節電表示モードを切り替える表示モード切替手段を備えたことを特徴とする表示制御装置。
【請求項２】
前記車両状態検出手段は、鑑賞者の不在、または鑑賞者のシートのリクライニング角度、または、ステアリングの操舵角、またはウィンドウの開閉操作を検出することを特徴とする請求項１に記載の表示制御装置。
【請求項３】
車両に搭載され、表示部への電力供給が抑制された節電表示モードと、前記表示部への電力供給が抑制されていない通常表示モードとを相互に切り替えて表示部の表示制御を行なう表示制御装置であって、
前記表示部を鑑賞する鑑賞者の鑑賞状態を検出する鑑賞状態検出手段によって検出された前記表示部に対する鑑賞者の鑑賞状態に応じて前記通常表示モードおよび／または前記節電表示モードを切り替える表示モード切替手段を備え、
前記鑑賞状態検出手段は、前記表示部を鑑賞する鑑賞者の鑑賞状態として前記表示部に対する鑑賞者の接近状態または当該表示制御装置の操作を受け付ける遠隔操作装置に対する鑑賞者の接触状態を検出することを特徴とする表示制御装置。
【請求項４】
表示部への電力供給が抑制された節電表示モードと、前記表示部への電力供給が抑制されていない通常表示モードとを相互に切り替えて表示部の表示制御をおこなう表示制御装置であって、
前記表示部を鑑賞する鑑賞者の視線方向を検出する視線方向検出手段から検出される前記表示部に対する鑑賞者の視線方向が所定の監視時間について検出されなかった場合に、前記通常表示モードから前記節電表示モードに切り替える表示モード切替手段と、
前記視線方向検出手段によって前記表示部に対する鑑賞者の視線方向が所定の監視時間内に所定の回数以上検出された場合に、前記所定の監視時間に比較して長い監視時間を当該監視時間として再設定する監視時間再設定手段と、
を備えたことを特徴とする表示制御装置。
【請求項５】
表示部への電力供給が抑制された節電表示モードと、前記表示部への電力供給が抑制されていない通常表示モードとを相互に切り替えて表示部の表示制御を行なう表示制御装置であって、
前記表示部を鑑賞する鑑賞者の鑑賞状態を検出する鑑賞状態検出手段によって検出された前記表示部に対する鑑賞者の鑑賞状態に応じて前記通常表示モードおよび／または前記節電表示モードを切り替える表示モード切替手段と、
前記表示制御装置は経路案内を行なうナビゲーション装置を備え、
前記表示モード切替手段は、前記ナビゲーション装置によって経路案内が行なわれる場合に、前記表示部の表示モードとして通常表示モードを優先して適用することを特徴とする表示制御装置。
【請求項６】
表示部への電力供給が抑制された節電表示モードと、前記表示部の電力供給が抑制されていない通常表示モードとを交互に切り替えて複数の表示部の表示制御を行なう表示制御装置であって、
前記表示部を鑑賞する鑑賞者の鑑賞状態を検出する鑑賞状態検出手段によって検出された前記表示部に対する鑑賞者の鑑賞状態に応じて前記通常表示モードおよび／または前記節電表示モードを切り替える表示モード切替手段を備え、
前記鑑賞状態検出手段は、各表示部を鑑賞する鑑賞者の鑑賞状態をそれぞれ検出し、
前記表示モード切替手段は、前記鑑賞状態検出手段によって検出された各表示部に対する鑑賞者の鑑賞状態に応じて前記通常表示モードおよび／または前記節電表示モードを表示部ごとに切り替えることを特徴とする表示制御装置。
【手続補正２】
【補正対象書類名】明細書
【補正対象項目名】００１１
【補正方法】変更
【補正の内容】
【００１１】
上述した課題を解決し、目的を達成するために、請求項１の発明に係る表示制御装置は、車両に搭載され、表示部への電力供給が抑制された節電表示モードと、前記表示部への電力供給が抑制されていない通常表示モードとを相互に切り替えて表示部の表示制御を行なう表示制御装置であって、前記車両の車両状態を検出する車両状態検出手段によって検出された車両状態に応じて前記通常表示モードおよび／または前記節電表示モードを切り替える表示モード切替手段を備えたことを特徴とする。
【手続補正３】
【補正対象書類名】明細書
【補正対象項目名】００１２
【補正方法】変更
【補正の内容】
【００１２】
また、請求項２の発明に係る表示制御装置は、上記の発明において、前記車両状態検出手段は、鑑賞者の不在、または鑑賞者のシートのリクライニング角度、または、ステアリングの操舵角、またはウィンドウの開閉操作を検出することを特徴とする。
【手続補正４】
【補正対象書類名】明細書
【補正対象項目名】００１３
【補正方法】変更
【補正の内容】
【００１３】
また、請求項３の発明に係る表示制御装置は、車両に搭載され、表示部への電力供給が抑制された節電表示モードと、前記表示部への電力供給が抑制されていない通常表示モードとを相互に切り替えて表示部の表示制御を行なう表示制御装置であって、前記表示部を鑑賞する鑑賞者の鑑賞状態を検出する鑑賞状態検出手段によって検出された前記表示部に対する鑑賞者の鑑賞状態に応じて前記通常表示モードおよび／または前記節電表示モードを切り替える表示モード切替手段を備え、前記鑑賞状態検出手段は、前記表示部を鑑賞する鑑賞者の鑑賞状態として前記表示部に対する鑑賞者の接近状態または当該表示制御装置の操作を受け付ける遠隔操作装置に対する鑑賞者の接触状態を検出することを特徴とする。
【手続補正５】
【補正対象書類名】明細書
【補正対象項目名】００１４
【補正方法】変更
【補正の内容】
【００１４】
また、請求項４の発明に係る表示制御装置は、表示部への電力供給が抑制された節電表示モードと、前記表示部への電力供給が抑制されていない通常表示モードとを相互に切り替えて表示部の表示制御をおこなう表示制御装置であって、前記表示部を鑑賞する鑑賞者の視線方向を検出する視線方向検出手段から検出される前記表示部に対する鑑賞者の視線方向が所定の監視時間について検出されなかった場合に、前記通常表示モードから前記節電表示モードに切り替える表示モード切替手段と、前記視線方向検出手段によって前記表示部に対する鑑賞者の視線方向が所定の監視時間内に所定の回数以上検出された場合に、前記所定の監視時間に比較して長い監視時間を当該監視時間として再設定する監視時間再設定手段と、を備えたことを特徴とする。
【手続補正６】
【補正対象書類名】明細書
【補正対象項目名】００１５
【補正方法】変更
【補正の内容】
【００１５】
また、請求項５の発明に係る表示制御装置は、表示部への電力供給が抑制された節電表示モードと、前記表示部への電力供給が抑制されていない通常表示モードとを相互に切り替えて表示部の表示制御を行なう表示制御装置であって、前記表示部を鑑賞する鑑賞者の鑑賞状態を検出する鑑賞状態検出手段によって検出された前記表示部に対する鑑賞者の鑑賞状態に応じて前記通常表示モードおよび／または前記節電表示モードを切り替える表示モード切替手段と、前記表示制御装置は経路案内を行なうナビゲーション装置を備え、前記表示モード切替手段は、前記ナビゲーション装置によって経路案内が行なわれる場合に、前記表示部の表示モードとして通常表示モードを優先して適用することを特徴とする。
【手続補正７】
【補正対象書類名】明細書
【補正対象項目名】００１６
【補正方法】変更
【補正の内容】
【００１６】
また、請求項６の発明に係る表示制御装置は、表示部への電力供給が抑制された節電表示モードと、前記表示部の電力供給が抑制されていない通常表示モードとを交互に切り替えて複数の表示部の表示制御を行なう表示制御装置であって、前記表示部を鑑賞する鑑賞者の鑑賞状態を検出する鑑賞状態検出手段によって検出された前記表示部に対する鑑賞者の鑑賞状態に応じて前記通常表示モードおよび／または前記節電表示モードを切り替える表示モード切替手段を備え、前記鑑賞状態検出手段は、各表示部を鑑賞する鑑賞者の鑑賞状態をそれぞれ検出し、前記表示モード切替手段は、前記鑑賞状態検出手段によって検出された各表示部に対する鑑賞者の鑑賞状態に応じて前記通常表示モードおよび／または前記節電表示モードを表示部ごとに切り替えることを特徴とする。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
本発明によれば、車両状態に応じて通常表示モードおよび／または節電表示モードを切り替えることとしたので、簡易な構成で鑑賞者の利便性を損なうことなく、消費電力を低減することが可能な表示制御装置が得られるという効果を奏する。さらに、これに関連して、消費電力を低減することにより、車両の燃費を向上させ、かつバッテリ切れを予防することが可能になる。
【手続補正１４】
【補正対象書類名】明細書
【補正対象項目名】００２３
【補正方法】変更
【補正の内容】
【００２３】
また、本発明によれば、鑑賞者の不在、または鑑賞者のシートのリクライニング角度、または、ステアリングの操舵角、またはウィンドウの開閉操作に応じて通常表示モードおよび／または節電表示モードを切り替えることとしたので、鑑賞者の状態を示す車両状態を用い、鑑賞者の利便性を損なうことなく、消費電力を低減することが可能な表示制御装置が得られるという効果を奏する。
【手続補正１５】
【補正対象書類名】明細書
【補正対象項目名】００２４
【補正方法】変更
【補正の内容】
【００２４】
また、本発明によれば、表示部に対する鑑賞者の接近状態または当該表示制御装置の操作を受け付ける遠隔操作装置に対する鑑賞者の接触状態を用いて通常表示モードから節電表示モードに切り替えることとしたので、鑑賞者に鑑賞意思が無い場合のみに、節電表示モードに切り替えることが可能な表示制御装置が得られるとういう効果を奏する。
【手続補正１６】
【補正対象書類名】明細書
【補正対象項目名】００２５
【補正方法】変更
【補正の内容】
【００２５】
また、本発明によれば、表示部に対する鑑賞者の視線方向が所定の監視時間について検出されなかった場合に、通常表示モードから前記節電表示モードに切り替えるとともに、表示部に対する鑑賞者の視線方向が所定の監視時間内に所定の回数以上検出された場合に、所定の監視時間に比較して長い監視時間を当該監視時間として再設定することとしたので、鑑賞者の鑑賞意思が顕著に存在する場合に節電表示モードへの切替条件を厳格化することができ、節電表示モードおよび／または通常表示モードが頻繁に切り替えられることによって消費電力が浪費されることを防止することが可能な表示制御装置が得られるという効果を奏する。
【手続補正１７】
【補正対象書類名】明細書
【補正対象項目名】００２６
【補正方法】変更
【補正の内容】
【００２６】
また、本発明によれば、ナビゲーション装置によって経路案内が行なわれる場合に、表示部の表示モードとして通常表示モードを優先して適用することとしたので、ナビゲーションが必要である場合に、節電表示モードに切り替えられることを防止することが可能な表示制御装置が得られるという効果を奏する。
【手続補正１８】
【補正対象書類名】明細書
【補正対象項目名】００２７
【補正方法】変更
【補正の内容】
【００２７】
また、本発明によれば、複数の表示部を鑑賞する複数の鑑賞者の鑑賞状態をそれぞれ検出し、各鑑賞者の鑑賞状態に応じて複数の表示部の表示モードを個別に切り替えることとしたので、複数の表示部おいて節電を図ることができ、消費電力をより一層低減することが可能な表示制御装置が得られるという効果を奏する。特に、車両の後部座席の乗員が降りた後の表示部の消灯忘れを防止できるため、消費電力を低減するとともに、走行中の眩しさも低減でき、走行安全性の向上を図ることが可能になる。
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】